(57)【要約】      （修正有）【課題】  搬送の際、手指が充分に掛止できる手掛部を有するとともに、筐体内への張出量も小さくでき、且つ過剰な応力にも対応できる強度の向上した把手装置を提供する。【解決手段】  把手装置５を、リアパネル開口部に嵌着される筐体装着部材６と、これに回動自在に収納される手掛部材７とから構成し、前記筐体装着部材６を、枠体状のフランジ８と、半円湾曲状の後板部１０と、側板１１とからなり、前記側板１１の内壁面にガイド溝１２を刻設した収納部９とから構成する一方、前記手掛部材７を、平板状に形成された手掛部１４と、同手掛部１４から突設された半円状の複数のガイドリブ１５と、両側面に突設されたガイド片１６とから構成する。【選択図】図２
2006228847.tif 000002
【特許請求の範囲】
【請求項１】
筐体の開口部に嵌着される、一側面が開放された筐体装着部材と、同筐体装着部材内に回動手段を備えて収納される手掛部材とからなり、同手掛部材が回動して係止手段により係止されることにより前記開口部の外方に突出することを特徴とする把手装置。
【請求項２】
前記筐体装着部材が、断面半円状の後板部と、その両側に配置された側板とからなる収納部からなり、前記手掛部材が、平板状に形成された手掛部と、同手掛部から突設され、前記後板部の内壁面に沿って摺動する半円状のガイドリブとからなることを特徴とする請求項１に記載の把手装置。
【請求項３】
前記筐体装着部材が、方形状の上部凹部と、これに連設された断面円弧状の収納部とからなり、前記手掛部材が、平板状に形成された手掛部と、同手掛部から突設された補強リブとからなることを特徴とする請求項１に記載の把手装置。
【請求項４】
前記回動手段が、前記側板の内壁面に相対向して円弧状に形成されたガイド部と、同ガイド部に案内される前記手掛部から突設されたガイド片とからなることを特徴とする請求項１又は請求項２に記載の把手装置。
【請求項５】
前記回動手段が、前記収納部の両側面に穿設された長孔と、同長孔に回動自在及び摺動自在に支持される前記手掛部から突設されたピンとからなることを特徴とする請求項１又は請求項３に記載の把手装置。
【請求項６】
前記係止手段が、前記収納部に形成された係止爪と、同係止爪に係止する前記ガイドリブに形成された係止溝とからなることを特徴とする請求項１又は請求項２に記載の把手装置。
【請求項７】
前記係止手段が、前記収納部の後面上部に穿設され、前記手掛部の一端が挿入される係止孔からなることを特徴とする請求項１又は請求項３に記載の把手装置。
【発明の詳細な説明】
【技術分野】
【０００１】
本発明は、ＰＤＰ及びテレビジョン装置等の筐体に装着され、把手として使用される把手装置に関する。
【背景技術】
【０００２】
テレビジョン装置等に用いられる従来の把手装置５０は、例えば図７（Ａ）で示すように、筐体６０の側面に穿設された開口部に外方から嵌着され使用されるようになっている。同把手装置５０は、開口部の外周縁に被着する枠体状のフランジ５０ａと、前記筐体６０内に突出するように凹部状に形成され、前記フランジ５０ａと一体となった手掛部５０ｂとからなり、同手掛部５０ｂの上面及び下面には、筐体６０の側面壁を前記フランジ５０ａと挟持するように係止爪５０ｃが設けられている（例えば、特許文献１参照。）。
【０００３】
しかしながら、前記手掛部５０ｂの筐体６０内部へ突出した寸法、所謂、図７（Ａ）で示す奥行寸法Ｈは一般的に手指の大きさに比較して狭いことが多く、ＰＤＰ（プラズマディスプレイパネル）等の大画面表示装置となると、手指が充分に前記把手装置５０に掛けられないことにより搬送の際、支障を生じる虞があった。
【０００４】
これに替わり、図７（Ｂ）で示すように、把手装置５１は手掛部５１の奥行寸法Ｈを大きくし、搬送の際、手指が充分に掛けられるようにしている。しかしながら奥行寸法Ｈを大きくすると、筐体６０内部に配設された電子部品あるいはディスプレイパネル等に接触する危険があり、薄型化を図るＰＤＰ等においては、内部の部品配置構成に制約、制限を与える問題があった。
【０００５】
【特許文献１】特開平６−１０５２５８号（４頁、図２）
【発明の開示】
【発明が解決しようとする課題】
【０００６】
本発明は、上記問題点に鑑み、搬送の際、手指が充分に掛止できる手掛部及び空間を有するとともに、筐体内部への張出量所謂奥行寸法も小さくでき、筐体内部の部品配置構成に余分な制約、制限を与えない把手装置を提供することを目的とする。
【課題を解決するための手段】
【０００７】
本発明は、筐体の開口部に嵌着される、一側面が開放された筐体装着部材と、同筐体装着部材内に回動手段を備えて収納される手掛部材とからなり、同手掛部材が回動して係止手段により係止されることにより前記開口部の外方に突出して把手装置を構成してなる。又、前記筐体装着部材が、断面半円状の後板部と、その両側に配置された側板とからなる収納部とからなり、前記手掛部材が、平板状に形成された手掛部と、同手掛部から突設され、前記後板部の内壁面に沿って摺動する半円状のガイドリブとからなる構成となっている。又、前記筐体装着部材が、方形状の上部凹部と、これに連設された断面円弧状の収納部とからなり、前記手掛部材が、平板状に形成された手掛部と、同手掛部から突設された補強リブとからなる構成となっている。又、前記回動手段が、前記側板の内壁面に相対向して円弧状に形成されたガイド部と、同ガイド部に案内される前記手掛部から突設されたガイド片とからなる構成となっている。又、前記回動手段が、前記収納部の両側面に穿設された長孔と、同長孔に回動自在及び摺動自在に支持される前記手掛部から突設されたピンとからなる構成となっている。又、前記係止手段が、前記収納部に形成された係止爪と、同係止爪に係止する前記ガイドリブに形成された係止溝とからなる構成となっている。又、前記係止手段が、前記収納部の後面上部に穿設され、前記手掛部の一端が挿入される係止孔からなる構成となっている。
【発明の効果】
【０００８】
以上説明したように本発明によると、筐体開口部に嵌着される筐体装着部材と、これに回動自在に収納される手掛部材とからなり、前記筐体装着部材を、筐体開口部端縁に被着される枠体状のフランジと、半円湾曲状の後板部と、その両側に配置された側板とからなり、前記側板の内壁面に、前記フランジの開口部から下方に向かい傾斜する導入部と、円弧状に形成された摺動部とからなるガイド溝を相対向するよう刻設した収納部とから構成する一方、前記手掛部材を、平板状に形成された手掛部と、同手掛部の一側面から突設された半円状の複数のガイドリブと、両側面に突設されたガイド片とから構成し、搬送の際、手掛部を押圧し、前記ガイド片を円弧状に形成された摺動部に摺動させ手掛部材を回動させることにより、同手掛部に手指が掛かるようになり、搬送を容易に行うことができるようになっている。
【発明を実施するための最良の形態】
【０００９】
以下、本発明の実施の形態を、添付図面に基づいた実施例として詳細に説明する。
【実施例１】
【００１０】
図１は本発明による把手装置を備えた表示装置を示す斜視図であり、図２（Ａ）は第一実施例における把手装置の分解斜視図であり、図２（Ｂ）はその手掛部材を示す斜視図である。図３は同把手装置の断面図であり、図４（Ａ）、（Ｂ）、（Ｃ）は動作を示す断面図である。又、図５（Ａ）は第二実施例における把手装置の分解斜視図であり、図５（Ｂ）はその手掛部材を示す斜視図である。又、図６（Ａ）、（Ｂ）、（Ｃ）、（Ｄ）は動作を示す断面図である。
【００１１】
本発明による把手装置を備えたＰＤＰ表示装置１は、例えば図１で示すように、枠体状に形成された樹脂材からなるフロントパネル２と、前面が開放された箱体状に形成され樹脂材からなるリアパネル４とで外郭となる筐体を構成し、前記フロントパネル２の開放された前面に板状の透明部材からなる光学フィルタ３を装着している。前記筐体内には電子部品を搭載した映像信号処理基板と、同映像信号処理基板から送出された信号を基にプラズマ放電により映像を前記光学フィルタ３に映写するプラズマディスプレイパネル等が内蔵されている。又、前記リアパネル４の両側面上部には、搬送の際、手掛けとなる把手装置が装着されている。
【００１２】
本発明の第一実施例における前記把手装置５は、図２（Ａ）の分解斜視図で示すように、前記リアパネル４に穿設された矩形状の開口部に嵌着される筐体装着部材６と、同筐体装着部材６内に回動自在に収納される手掛部材７とから構成されている。
【００１３】
前記筐体装着部材６は、矩形状の開口部８ａを備えるとともに、前記リアパネル４の開口部端縁に被着される枠体状のフランジ８と、同フランジ８と一体に形成され断面が半円状の収納部９とからなり、同収納部９は更に半円湾曲状の後板部１０と、その両側に配置された側板１１とから構成されている。又、前記後板部１０の内壁前縁には下方に張り出すように係止爪１０ａが形成されている。
【００１４】
前記後板部１０の上部及び下部には、前記フランジ８と対向して可撓性の係止爪１３が一対となって設けられており、筐体装着部材６を装着する際、前記収納部９を筐体に穿設された矩形状の開口部に押し込むと前記フランジ８の裏面が開口部前面周縁に当接するとともに、前記係止爪１３が開口部裏面に係止し、これにより筐体装着部材６は筐体に嵌着されるようになっている。
【００１５】
前記側板１１の内壁面には、一端を前記フランジ８の前面側に開口した円弧状のガイド溝１２が相対向するよう刻設されており、同ガイド溝１２は、図３（Ａ）で示すように、前記フランジ８の開口端から下方に向かい傾斜する導入部１２ａと、同導入部１２ａに連通する摺動部１２ｂとからなり、同摺動部１２ｂは後述するガイド片１６が上方に移動するように円弧状に形成されるととも、その上部は若干直線状となって前記ガイド片１６が係止する奥壁を形成している。
【００１６】
前記手掛部材７は、図２（Ｂ）で示すように、平板状に形成された手掛部１４と、同手掛部１４の一側面から突設された半円状の複数のガイドリブ１５とからなり、その両側面には、前記筐体装着部材６のガイド溝１２に対応するガイド片１６が突設されている。又、前記ガイドリブ１５の略中央部には、前記後板部１０に形成された係止爪１０ａに係止する断面Ｖ字状の係止溝１５ａが夫々形成されている。又、前記手掛部１４の一端は傾斜面となって所謂肉盛り部１４ａとなっている。
【００１７】
次に、前記手掛部材７の前記筐体装着部材６への装着について説明する。前記手掛部材７を、図３（Ｂ）で示すように、やや傾けた状態で、前記ガイド片１６を前記ガイド溝１２の導入部１２ａ開放端から挿入し、同ガイド片１６が同導入部１２ａと前記摺動部１２ｂとの間に位置させるように内方へ押し込み、次に、前記手掛部１４が垂直となるように引き起こす。これにより、図４（Ａ）で示すように、前記リアパネル４と前記手掛部１４とが略同一面となる状態で前記手掛部材７は前記筐体装着部材６に収納され、前記手掛部１４と筐体外面とが面一になることにより、凹部が目立たず外観上、美観を保てるようになっている。
【００１８】
ＰＤＰ表示装置１を移動させる際は、図４（Ｂ）で示すように、前記手掛部材７の手掛部１４の下部を手指等により押圧する。これにより両側面に突設された前記ガイド片１６が前記ガイド溝１２の円弧状に形成された摺動部１２ｂに案内され摺動することにより前記手掛部材７は、上部が前記リアパネル４の側面に突出するように回動する。
【００１９】
前記ガイド片１６が前記摺動部１２ａの奥壁に突当たるとともに、前記係止爪１０ａが前記係止溝１５ａに係止すると、前記手掛部材７は、図４（Ｃ）で示すように、略直角度回動した状態で固定されるようになっている。この状態で、前記手掛部１４に手指が掛かるように手を差し入れることにより、前記ＰＤＰ表示装置１を任意の場所に移動、搬送させることができるようになっている。移動、搬送が完了したら前記手掛部材７を逆方向に回動させ元の状態に復帰させる。この際、前記肉盛り部１４ａにより復帰する方向に応力が働き、操作が円滑に行えるようになっている。
【実施例２】
【００２０】
次に、第二実施例について説明する。第二実施例の把手装置２０は、図５（Ａ）で示すように、第一実施例と同様に、筐体の開口部に嵌着される筐体装着部材２１と、同筐体装着部材２１内に回動自在に収納される手掛部材２２とから構成されている。前記筐体装着部材２１は、前記リアパネル４の開口部端縁に被着される枠体状のフランジ２３と、同フランジ２３の下方後部に一体となって形成され、上部に平坦面を有する断面４分円状の収納部２４と、前記フランジ２３の上方から方形状の凹部となるように形成された上部凹部２５とからなり、前記収納部２４の下面と、前記上部凹部２５の上面には、図示はしていないが、第一実施例と同様に、筐体内壁面に係止する係止爪が夫々形成されている。
【００２１】
又、前記上部凹部２５の後壁面と、前記収納部２４の上面壁２４ｂとには、これらに連通するように縦長状の切欠き２６が複数設けられ、又、前記収納部２４の両側壁には、水平状の長孔２７が穿設されている。更に、前記収納部２４の円弧状となった後壁面上部には、図６（Ａ）で示すように、水平状の係止孔２４ａが穿設されている。
【００２２】
前記手掛部材２２は、図５（Ｂ）で示すように、平板状に形成された手掛部２８と、同手掛部１４の一側面から突設された略半円状の複数の補強リブ２９とからなり、同補強リブ２９の下部一端は切り欠かかれて平坦面２９ａとなっている。又、前記手掛部２８の両側面には、前記筐体装着部材２３の長孔２７に対応するピン３０が突設されている。
【００２３】
次に、前記手掛部材２２の前記筐体装着部材２１への装着について説明する。同筐体装着部材２１のフランジ２３を左右に押広げた状態で、前記手掛部材２２の補強リブ２９を前記切欠き２６に夫々挿通させるとともに、左右に突設された前記ピン３０を前記長孔２７に挿入する。これにより、前記手掛部材２２は前記筐体装着部材２１に、図６（Ａ）で示すような状態で収納され、前記ピン３０を前記長孔２７に回動自在に支持されるようになっている。
【００２４】
搬送を行う際は、図６（Ｂ）で示すように、下部を押圧することにより、前記手掛部材２２は矢印で示す方向に回動する。略直角度回動すると、図６（Ｃ）で示すように、前記手掛部材２２の平坦状の手掛部２８と、前記収納部２４の上面壁２４ｂとが当接し回動が規制される。前記手掛部２８が水平となった状態で、手掛部材２２を、図６（Ｄ）の矢印で示す方向に押圧すると、前記ピン３０が前記長孔２７内を摺動することにより、前記手掛部２８の一端が、前記収納部２４に形成された係止孔２４ａに挿入され、これにより前記手掛部材２２が固定状態となる。
【００２５】
前記手掛部材２２が固定された状態で、前記手掛部２８に手指を掛けることにより搬送が容易に行えるようになっている。
【図面の簡単な説明】
【００２６】
【図１】本発明による把手装置を備えた表示装置を示す斜視図である。
【図２】（Ａ）は本発明の第一実施例による把手装置の分解斜視図である。  （Ｂ）は手掛部材を示す斜視図である。
【図３】（Ａ）筐体装着部材の断面図である。  （Ｂ）は手掛部材の筐体装着部材への装着を示す断面図である。
【図４】（Ａ）は把手装置が筐体へ装着された状態を示す断面図である。  （Ｂ）及び（Ｃ）は搬送時の動作を示す断面図である。
【図５】（Ａ）は本発明の第二実施例による把手装置の分解斜視図である。  （Ｂ）は手掛部材を示す斜視図である。
【図６】（Ａ）、（Ｂ）（Ｃ）及び（Ｄ）は搬送時の動作を示す断面図である。
【図７】（Ａ）及び（Ｂ）は従来の把手装置の一例を示す断面図である。
【符号の説明】
【００２７】
１  ＰＤＰ表示装置
２  フロントパネル
３  光学フィルタ
４  リアパネル
５  把手装置
６  筐体装着部材
７  手掛部材
８  フランジ
８ａ  開口部
９  収納部
１０  後板部
１０ａ  係止爪
１１  側板
１２  ガイド溝
１２ａ  導入部
１２ｂ  摺動部
１３  係止爪
１４  手掛部
１５  ガイドリブ
１５ａ  係止溝
１６  ガイド片
２０  把手装置
２１  筐体装着部材
２２  手掛部材
２３  フランジ
２４  収納部
２５  上部凹部
２６  切欠き
２７  長孔
２８  手掛部
２９  補強リブ
２９ａ  平坦面
３０  ピン
【図１】
2006228847.tif 000003
【図２】
2006228847.tif 000004
【図３】
2006228847.tif 000005
【図４】
2006228847.tif 000006
【図５】
2006228847.tif 000007
【図６】
2006228847.tif 000008
【図７】
2006228847.tif 000009